(57)【特許請求の範囲】
【請求項１】
開閉可能な取っ手付き頂壁(2a)を有し、被処理液を収容するケーシング(2)と、複数段の前後方向にのびる殺菌ランプ(4)を有しケーシング(2)内に複数列配置されて被処理液の殺菌を行うランプモジュール(3)と、上記殺菌ランプ(4)を洗浄するランプ洗浄装置(10)とを備え、ランプ洗浄装置(10)は、複数段の洗浄ブラシ(15)を有し前後方向に移動自在の複数列の洗浄ユニット(11)(12)(13)と、前後方向にのび洗浄ユニット(11)(12)(13)を前後方向に移動させる駆動案内軸(14)と、駆動案内軸(14)に沿って洗浄ユニット(11)(12)(13)を移動させるための動力源とを備えている光照射装置において、ランプ洗浄装置(10)の駆動案内軸(14)が、ケーシング(2)の頂壁(2a)下面に被処理液に接触しないように設けられ、ランプ洗浄装置(10)の動力源が、ケーシング(2)外部に配置されていることを特徴とするランプ洗浄装置を備えた光照射装置。
【請求項２】
洗浄ユニット(11)(12)(13)同士が連結手段(18)により連結されており、１組の駆動案内軸(14)および動力源により複数列の洗浄ユニット(11)(12)(13)が駆動される請求項１記載のランプ洗浄装置を備えた光照射装置。
【請求項３】
連結手段(18)は、一方の洗浄ユニット(11)(12)に固定された垂直軸(19)と、他方の洗浄ユニット(12)(13)に固定されかつ垂直軸(19)に着脱自在に嵌め合わせられたブラケット(20)とよりなる請求項２記載のランプ洗浄装置を備えた光照射装置。
【発明の詳細な説明】
【０００１】
【発明の属する技術分野】
この発明は、下水処理の最終段階において、被処理液中にある細菌の殺菌、有機物の酸化分解、有害物質の分解等を目的として、光照射処理を行う光照射装置に関し、特に、複数段の前後方向にのびる殺菌ランプを有するランプモジュールのランプ外面に付着した物質を除去するランプ洗浄装置を備えた光照射装置に関する。
【０００２】
【従来の技術】
従来、光照射装置におけるランプ洗浄装置として、複数段の洗浄ブラシを有し前後方向に移動自在の複数列の洗浄ユニットと、前後方向にのび洗浄ユニットを前後方向に移動させる駆動案内軸と、駆動案内軸に沿って洗浄ブラシを移動させるための動力源とを備えており、各洗浄ユニットごとに、駆動案内軸および動力源が設けられるとともに、これらの駆動案内軸および動力源が、各ランプモジュールの頂壁上面に設置されているものが知られている。
【０００３】
【発明が解決しようとする課題】
上記従来の光照射装置におけるランプ洗浄装置では、駆動案内軸および動力源がランプモジュールの上面に設置されているため、ランプ交換などのメンテナンス時にモジュールを取り外す際、駆動案内軸および動力源を取り外してから行わなければならないなどの問題があった。
【０００４】
また、上記従来の光照射装置におけるランプ洗浄装置では、各洗浄ユニットごとに駆動案内軸および動力源が設けられるため、ランプモジュール数の増加に伴い、動力源のメンテナンスが非常に煩雑になるという問題もあった。
【０００５】
この発明の目的は、上記問題点を解消し、メンテナンス性に優れたランプ洗浄装置を備えた光照射装置を提供することにある。
【０００６】
【課題を解決するための手段】
この発明によるランプ洗浄装置を備えた光照射装置は、開閉可能な取っ手付き頂壁を有し、被処理液を収容するケーシングと、複数段の前後方向にのびる殺菌ランプを有しケーシング内に複数列配置されて被処理液の殺菌を行うランプモジュールと、上記殺菌ランプを洗浄するランプ洗浄装置とを備え、ランプ洗浄装置は、複数段の洗浄ブラシを有し前後方向に移動自在の複数列の洗浄ユニットと、前後方向にのび洗浄ユニットを前後方向に移動させる駆動案内軸と、駆動案内軸(14)に沿って洗浄ユニットを移動させるための動力源とを備えている光照射装置において、ランプ洗浄装置の駆動案内軸が、ケーシングの頂壁下面に被処理液に接触しないように設けられ、ランプ洗浄装置の動力源が、ケーシング外部に配置されていることを特徴とするものである。
【０００７】
洗浄ユニット同士が連結手段により連結されており、１組の駆動案内軸および動力源により複数列の洗浄ユニットが駆動されることが好ましい。
【０００８】
また、連結手段は、一方の洗浄ユニットに固定された垂直軸と、他方の洗浄ユニットに固定されかつ垂直軸に着脱自在に嵌め合わせられたブラケットとよりなることが好ましい。
【０００９】
【発明の実施の形態】
この発明の実施の形態を、以下図面を参照して説明する。以下の説明において、前とは図１の左を、後とは図１の右をいうものとし、左右は前方に向かっていうものとする。
【００１０】
図1から図３までに示す光照射装置(1)は、開水路型紫外線消毒装置で使用されるもので、開閉可能な取っ手付き頂壁(2a)を有しているケーシング(2)と、ケーシング(2)内に左右３列に配置されているランプモジュール(3)と、ランプ洗浄装置(10)とを備えている。
【００１１】
ランプモジュール(3)は、前後方向にのびる上下４段の殺菌ランプ(4)によって被処理液の殺菌を行うもので、ランプ(4)の前後端部を支持する前後一対の逆Ｌ字状支持プレート(5)がケーシング(2)の頂壁(2a)下面に着脱自在に取り付けられている。殺菌ランプ(4)は、紫外線照射ランプが石英ガラス等からなる円筒状の光透過管内に収納されたものである。
【００１２】
ランプ洗浄装置(10)は、殺菌ランプ(4)の外面に付着する汚染物質を光照射処理中に剥離するものであり、互いに連結された左右３列の洗浄ユニット(11)(12)(13)と、前後方向にのび中央の洗浄ユニット(12)を前後方向に移動させる駆動案内軸(14)と、駆動案内軸(14)に沿って洗浄を移動させるための動力源（図示略）とを備えている。
【００１３】
各洗浄ユニット(11)(12)(13)は、上下４段の洗浄ブラシ(15)と、これらの洗浄ブラシ(15)を支持する垂直状左右取付プレート(16)と、左右の取付プレート(16)同士を上端部において連結するコ字状連結プレート(17)とを備えており、隣り合う洗浄ユニット(11)(12)(13)同士は、容易に分離可能な連結手段(18)によって互いに連結されている。
【００１４】
各洗浄ブラシ(15)は、各殺菌ランプ(4)を左右から挟み込むように左右で一対となっており、板状の支持金具(15a)を介して各洗浄ユニット(11)(12)(13)の左右の取付プレート(16)にそれぞれ着脱自在に取り付けられている。
【００１５】
左の洗浄ユニット(11)と中央の洗浄ユニット(12)とを連結する連結手段(18)は、左の洗浄ユニット(11)の右取付プレート(16)に固定された垂直軸(19)と、中央の洗浄ユニット(12)の左取付プレート(16)に固定されかつ垂直軸(19)に嵌め合わされた上下一対のブラケット(20)とよりなる。同様に、中央の洗浄ユニット(12)と右の洗浄ユニット(13)とを連結する連結手段(18)は、中央洗浄ユニット(12)の右取付プレート(16)に固定された垂直軸(19)と、右の洗浄ユニット(13)の左取付プレート(16)に固定されかつ垂直軸(19)に嵌め合わされた上下一対のブラケット(20)とよりなる。
【００１６】
各垂直軸(19)は、水平断面円形で、右取付プレート(16)の上端部近くから下端部近くまでのびており、ブラケット(20)には、垂直軸(19)に上下移動可能に嵌め合わせられかつ垂直軸(19)に対するブラケット(20)の左右方向への移動は阻止する水平断面欠円形の凹所(20a)が設けられている。
【００１７】
駆動案内軸(14)は、エアシリンダとされており、この動力源は、コンプレッサーで、ケーシング外部の動力制御盤内に配置されている。駆動案内軸(14)は、スクリュー軸とされてもよく、この場合の動力源は、ケーシング外部に配置されるモーターとされる。
【００１８】
駆動案内軸(14)は、その前後両端部がケーシング(2)の頂壁(2a)下面に取り付けられたブラケット(6)に支持されている。中央の洗浄ユニット(12)の連結プレート(17)の頂壁には、駆動案内軸(14)に案内されて前後移動する移動体(21)が固定されている。
【００１９】
上記ランプ洗浄装置(10)によると、駆動案内軸(14)に沿って移動体(21)が前後移動させられると、中央の洗浄ユニット(12)およびこれに連結された左右の洗浄ユニット(11)(13)が前後方向に移動する。こうして、１組の駆動案内軸(14)および動力源により複数列の洗浄ユニット(11)(12)(13)が駆動され、各洗浄ユニット(11)(12)(13)の各洗浄ブラシ(15)が各照射ランプ(4)の外面に付着する汚染物質を剥離していく。駆動案内軸(14)が設けられているケーシング(2)の頂壁(2a)下面のすぐ下の部分は、従来利用されておらずかつ被処理液に接触しないスペースであり、このスペースを有効利用することにより、駆動案内軸(14)をケーシング(2)の外側に突出させることなく設けることができ、しかも、駆動案内軸(14)をそのままにして、ランプモジュール(3)を取り外すことができ、メンテナンス時のランプモジュール(3)の取り外しが容易となる。
【００２０】
【発明の効果】
この発明のランプ洗浄装置を備えた光照射装置によると、ランプ洗浄装置の駆動案内軸がケーシングの頂壁下面に被処理液に接触しないように設けられ、ランプ洗浄装置の動力源がケーシング外部に配置されているので、駆動案内軸および動力源を取り外すことなくランプモジュールを取り出すことが可能となり、ランプ交換等のメンテナンス時のランプモジュールの取り外しが容易となる。
【００２１】
洗浄ユニット同士が連結手段により連結されており、１組の駆動案内軸および動力源により複数列の洗浄ユニットが駆動されるものでは、ランプモジュール数が増加しても、駆動案内軸および動力源を増加する必要が無く、これらのメンテナンスが非常に簡単になる。
【００２２】
連結手段が、一方の洗浄ユニットに固定された垂直軸と、他方の洗浄ユニットに固定されかつ垂直軸に着脱自在に嵌め入れられたブラケットとよりなるものでは、一方の洗浄ユニットを他方の洗浄ユニットに対して上下移動させることにより、連結された洗浄ユニットを容易に分解することができるので、洗浄ユニットがランプモジュールの取り外しの邪魔にならない。
【図面の簡単な説明】
【図１】  この発明によるランプ洗浄装置を備えた光照射装置を示す側面図である。
【図２】  図１のII-II線に沿う断面図である。
【図３】  図２のIII-III線に沿う断面図である。
【図４】  １つの洗浄ユニットを示す斜視図である。
【符号の説明】
(1)           光照射装置
(2)           ケーシング
(2a)           頂壁
(3)           ランプモジュール
(4)           殺菌ランプ
(10)          ランプ洗浄装置
(11)(12)(13)  洗浄ユニット
(14)          駆動案内軸
(15)          洗浄ブラシ
(18)          連結手段
(19)          垂直軸
(20)          ブラケット
【図１】
0004203693.tif 000002
【図２】
0004203693.tif 000003
【図３】
0004203693.tif 000004
【図４】
0004203693.tif 000005